(57)【要約】【解決手段】  複数箇所に印刷箇所７が表示されている製品サンプル１と、この製品サンプルを製造するための複数の部品サンプル２Ａ〜６Ａと、この部品サンプルに、上記製品サンプルの印刷箇所と対応した位置に設定された複数の画像印刷領域７Ａと、印刷すべき複数のデジタル画像と、上記複数のデジタル画像につき、どのデジタル画像をどの画像印刷領域に印刷すべきかを設定した印刷データとを備えている。シート状素材８に、上記印刷データに基づいて各部品サンプルの画像印刷領域にデジタル画像を印刷し、さらにデジタル画像が印刷された各部品サンプルを縫製して製品（立体模型）を製造する。【効果】  ぬいぐるみ等の立体模型には複数の画像が印刷されているので、例えば子供の誕生日などに、その子供の成長を記録した画像を複数枚印刷したぬいぐるみ等の立体模型をその子供にプレゼントすることができ、家族で立体模型の所有を楽しむことができる。【選択図】  図２
2005058603.tif 000002
【特許請求の範囲】
【請求項１】
複数の部品を組み立てて製造した立体模型であって、上記部品に合計で複数の画像印刷領域が設定されており、各画像印刷領域には、顧客によって指定されたデジタル画像が印刷されていることを特徴とする立体模型。
【請求項２】
複数箇所に印刷箇所が表示されている製品サンプルと、この製品サンプルを製造するための複数の部品サンプルと、この部品サンプルに、上記製品サンプルの印刷箇所と対応した位置に設定された複数の画像印刷領域と、印刷すべき複数のデジタル画像と、上記複数のデジタル画像につき、どのデジタル画像をどの画像印刷領域に印刷すべきかを設定した印刷データとを備え、
シート状素材に、上記印刷データに基づいて各部品サンプルの画像印刷領域にデジタル画像を印刷し、さらにデジタル画像が印刷された各部品サンプルを縫製して製品を製造することを特徴とする立体模型の製造方法。
【請求項３】
上記印刷データに基づいて各部品サンプルの画像印刷領域にデジタル画像を印刷する際には、デジタル画像とともに当該部品サンプルを印刷することを特徴とする請求項２に記載の製造方法。
【請求項４】
モニタ上に製品サンプルを構成する各部品サンプルの展開図が表示されており、デジタル画像を上記部品サンプルの画像印刷領域にドラックアンドドロップすることによって、上記印刷データを作成することを特徴とする請求項２または請求項３に記載の製造方法。
【請求項５】
画像印刷領域に表示されたデジタル画像を回転させて、その向きを任意の方向に設定することを特徴とする請求項２ないし請求項４のいずれかに記載の製造方法。
【発明の詳細な説明】
【技術分野】
【０００１】
本発明は、ぬいぐるみ等の立体模型とその製造方法に関する。
【背景技術】
【０００２】
従来、立体物又は立体模型として、テディベア、犬、猫などのぬいぐるみや、クッション、まくら、カバンなどは周知である。
また従来、人間の顔のデジタル画像を人形の顔の部分に印刷したぬいぐるみ人形が知られている。
【特許文献１】特開２００１−８７５６２号公報
【発明の開示】
【発明が解決しようとする課題】
【０００３】
前者のテディベアやクッションなどは一般に大量生産されたものであり、所有者との関連性が希薄で所有する楽しみが少なかった。
これに対し、後者のぬいぐるみ人形は、人間の顔のデジタル画像を人形の顔の部分に印刷しているので、所有者との関連性が強くなり、所有する楽しみが強くなる。
しかしながら、上記ぬいぐるみ人形においては、人間の顔のデジタル画像を人形の顔の部分に印刷するようになっていたので、印刷できるデジタル画像は人間の顔に限定され、また印刷場所も人形の顔の部分に限定されてしまうことになる。その結果、印刷できるデジタル画像も印刷位置も特定なものに限定されてしまうという欠点があった。
【課題を解決するための手段】
【０００４】
請求項１の発明は、複数の部品を組み立てて製造した立体模型であって、上記部品に合計で複数の画像印刷領域が設定されており、各画像印刷領域には、顧客によって指定されたデジタル画像が印刷されていることを特徴とするものである。
また請求項２の発明は、立体模型の製造方法であって、複数箇所に印刷箇所が表示されている製品サンプルと、この製品サンプルを製造するための複数の部品サンプルと、この部品サンプルに、上記製品サンプルの印刷箇所と対応した位置に設定された複数の画像印刷領域と、印刷すべき複数のデジタル画像と、上記複数のデジタル画像につき、どのデジタル画像をどの画像印刷領域に印刷すべきかを設定した印刷データとを備え、
シート状素材に、上記印刷データに基づいて各部品サンプルの画像印刷領域にデジタル画像を印刷し、さらにデジタル画像が印刷された各部品サンプルを縫製して製品を製造することを特徴とするものである。
【発明の効果】
【０００５】
本発明によれば、ぬいぐるみ等の立体模型には複数のデジタル画像が印刷されているので、顧客は必要な枚数の画像、例えばアルバムを構成するような枚数の画像を印刷したぬいぐるみ等の立体模型を所有することができる。
その結果、例えば子供の誕生日などに、その子供の成長を記録した画像を複数枚印刷したぬいぐるみ等の立体模型をその子供にプレゼントすることができ、家族で立体模型の所有を楽しむことができる。
【発明を実施するための最良の形態】
【０００６】
以下図示実施例について本発明を説明すると、図１において、１は、テディベアのぬいぐるみ等からなる製品サンプルであって、図示した製品サンプル１は複数の部品２〜６から、より具体的には頭部２と、胴部３と、左右の耳部４と、左右の腕部５と、左右の脚部６とからなっている。各部品２〜６には、顧客から受取った画像が印刷される位置を示すために見本となる画像が印刷箇所７として表示されている。
上記製品サンプル１を販売する販売業者が運営するインターネットのウエブサイトには、上記製品サンプル１が表示されており、顧客はその製品サンプルにより完成後の立体模型を容易に想像することができるようになっている。
図２はウエブサイトに表示されている製品サンプル１の各部品２〜６を分解して展開した展開図で、そこには頭部２を製造するための１つの部品サンプル２Ａと、胴部３を製造するための２つの部品サンプル３Ａと、左右の耳部４を製造するためのそれぞれ１つの部品サンプル４Ａと、左右の腕部５を製造するためのそれぞれ２つの部品サンプル５Ａと、左右の脚部６を製造するためのそれぞれ２つの部品サンプル６Ａとが表示されている。
上記各部品サンプル２Ａ〜６Ａには、上記印刷箇所７を印刷するための画像印刷領域７Ａが例えば合計で２５箇所に設定されており、それぞれの画像印刷領域７Ａの位置は、製品サンプル１を製造した際の印刷箇所７の位置にそれぞれ対応している。
このとき、各部品２〜６のそれぞれの全てに必ず印刷箇所７が必要というわけではなく、合計で複数の印刷箇所７が指定されていれば良い。したがって１つの部品のみに複数の印刷箇所７が指定されていてもよい。
【０００７】
製品サンプル１で例示される製品（立体模型）の購入を希望する顧客は、先ず上記ウエブサイトより必要なソフトウエアをダウンロードして、該ソフトウエアを起動する。
このソフトウエアでは、顧客は、自分の所有するデジタル画像を上記各部品サンプル２Ａ〜６Ａの画像印刷領域７Ａに例えばドラックアンドドロップすることができるようになっており、ドラックアンドドロップされたデジタル画像はその画像印刷領域７Ａに表示されるようになる。これにより、当該デジタル画像につき、このデジタル画像をどこの画像印刷領域に印刷すべきかを設定した印刷データが作成される。
このとき顧客は、画像印刷領域７Ａの全てに異なるデジタル画像を指定することができることは勿論、同一のデジタル画像を複数の画像印刷領域７Ａに指定することもできる。また顧客は、画像印刷領域７Ａに表示されたデジタル画像を例えば９０度ずつ回転させて、その向きを任意の方向に設定することができる。このようにして全ての画像印刷領域７Ａにデジタル画像が指定されると、複数のデジタル画像につき、どのデジタル画像をどの画像印刷領域に印刷すべきかを設定した印刷データが完成される。
次に、顧客が「立体表示ボタン」を押すことにより、上記ソフトウエアは全ての画像印刷領域７Ａに指定されたデジタル画像を表示した製品サンプル１の完成立体サンプルを作成する。このとき、各部品サンプル２Ａ〜６Ａの画像印刷領域７Ａ内で平面で表示されていたデジタル画像は、立体に表示される製品サンプル１における印刷箇所７では、その立体の曲面に沿って湾曲されて表示されるようになる。
【０００８】
顧客は、上記完成立体サンプルである製品サンプル１の全体を回転させながら完成状態を確認することができ、もしこれで満足することができれば、「注文ボタン」を押せばよい。これによって、顧客のデジタル画像がアップロードされるとともに、各デジタル画像と表示すべき画像印刷領域７Ａとの関係を示すデータや、各画像印刷領域７Ａにおける各デジタル画像の向きを示すデータ等、必要なデータの全てを含む印刷データもアップロードされる。
他方、上記製品サンプル１で満足することができないときは、「戻るボタン」を押せばよい。これにより元の各部品サンプル２Ａ〜６Ａが表示された画面となるので、既に画像印刷領域７Ａに指定されているデジタル画像を他のデジタル画像に変更したり、向きを変更したりすることができる。
そして再び「立体表示ボタン」を押すことにより、何度でも完成立体サンプルを見ることができ、最終的に満足する完成立体サンプルが得られたら、上記「注文ボタン」を押せばよい。
【０００９】
上記製品サンプル１を販売する販売業者は、製品サンプル１の注文を受けたら、アップロードされた各デジタル画像や印刷データに基づいて各部品サンプル２Ａ〜６Ａを、図２の想像線で示すように、例えばポリエステル生地などのシート状素材８に印刷する。
このとき、例えば頭部２を製造するための部品サンプル２Ａについては、その頭部２の地の色や模様と、当該部品サンプル２Ａ内の各画像印刷領域７Ａに設定された画像とが同時に印刷されるようになっている。そして各画像印刷領域７Ａに設定された画像は、その向きが指定された方向となるように印刷されることは勿論である。
このようにして全ての部品サンプル２Ａ〜６Ａがそれぞれの画像印刷領域７Ａに設定されたデジタル画像とともに印刷されたら、シート状素材８から各部品サンプル２Ａ〜６Ａ毎に裁断され、さらに各部品サンプル２Ａ〜６Ａが縫製されて製品（立体模型）が完成される。この後、この製品が顧客に発送されるようになる。
【００１０】
上記実施例については、多くの変更が可能である。例えば上記実施例では各部品サンプル２Ａ〜６Ａを各デジタル画像とともに印刷しているが、画像印刷領域７Ａを残して各部品サンプル２Ａ〜６Ａを予め印刷しておき、その後に画像印刷領域７Ａに必要なデジタル画像を印刷しても良い。また、上記実施例では印刷後に各部品サンプル２Ａ〜６Ａを裁断しているが、予め部品サンプル２Ａ〜６Ａを裁断しておき、これにデジタル画像を印刷するようにしても良い。
また上記実施例では、顧客は必要なソフトウエアをダウンロードしてこれを実行するようにしているが、最初に顧客のデジタル画像をアップロードして、ウエブサイト内で各デジタル画像を画像印刷領域７Ａに設定する作業や、上記製品サンプル１の完成立体サンプルを作成する作業を行なうことができる。この場合には、ソフトウエアをダウンロードする作業が必要なくなることになる。
さらに最も簡単には、写真店、雑貨ショップ、結婚式場等では、製品見本として上記テディベア等の製品サンプル１（立体見本）を用意しておき、顧客が持参した写真や結婚式場で写した写真をどの画像印刷領域７Ａに、どの向きで印刷するかを相談しながら、受注することができる。この場合には、販売員が上記印刷データを作成することになる。なお製品見本としては、上記テディベアの製品サンプル１を種々の方向から写した写真（平面見本）であっても良い。また顧客が持参した写真がアナログ写真の場合には、スキャナなどによりデジタル画像に変換できることは勿論である。さらにこの場合、端末がなくても受注することが可能であるが、端末があれば、販売員の操作により顧客はモニタ画面で上記完成立体サンプルを見ることが可能となる。
さらに、製品がテディベアのぬいぐるみに限定されないことは勿論であって、その他犬や猫のぬいぐるみであっても、或いはクッション、まくら、カバンなどであっても良い。
【図面の簡単な説明】
【００１１】
【図１】製品サンプル１を示す図。
【図２】製品サンプル１を構成するための部品サンプル２Ａ〜６Ａを分解して展開した展開図。
【符号の説明】
【００１２】
１  製品サンプル          ２  頭部
３  脚部                  ４  耳部
５  腕部                  ６  脚部
７  印刷箇所              ８  シート状素材
２Ａ〜６Ａ  部品サンプル  ７Ａ  画像印刷領域
【図１】
2005058603.tif 000003
【図２】
2005058603.tif 000004